(57)【特許請求の範囲】
【請求項１】
上端に切欠凹部と切欠溝を備えた所定間隔地中埋設用の埋込プレートと，該埋込プレートの上記切欠凹部に嵌挿固定することによって該埋込プレートに架設配置した転倒防止金具受入用長尺の溝レールと，上記切欠溝に支持脚を嵌挿固定することによって溝レール側に先端を突出して架設配置し該溝レール側に突出した先端を転倒防止金具の引掛係合部としたローラー転動用長尺のローラーレールとを備えてなることを特徴とする横引開閉用門扉のガイドレール。
【請求項２】
上記埋込プレートとローラーレールを鋼製とするとともに上記溝レールをアルミ押出形材製とし，上記ローラーレールの嵌挿固定を嵌挿溶着によって行い且つ溝レールの嵌挿固定を埋込プレートの切欠凹部に対する弾発的圧入によるスナップイン係止によって行ってなることを特徴とする請求項１に記載の横引開閉用門扉のガイドレール。
【請求項３】
上記溝レールが，その裏面に埋込プレートの切欠凹部に対接する単一乃至複数の補強リブを備えてなることを特長とする請求項２に記載の横引開閉用門扉のガイドレール。
【請求項４】
上記埋込プレートがその切欠溝を挟んだ上記切欠凹部と逆側上端に第２の切欠凹部を備え，該第２の切欠凹部に嵌着固定することによってローラーフランジ受入用長尺の第２の溝レールを備えるとともに該第２の溝レールをアルミ押出形材製とし該第２の溝レールの嵌着固定を埋込プレートの第２の切欠凹部に対する弾発的な圧入スナップイン係止によって行ってなることを特徴とする請求項１，２又は３に記載の横引開閉用門扉のガイドレール。
【請求項５】
請求項１，２，３又は４に記載の横引開閉用門扉のガイドレールを用い，該ガイドレールをコンクリート打設面に埋込状に設置することを特徴とする横引開閉用門扉のガイドレール施工方法。
【発明の詳細な説明】
【技術分野】
【０００１】
本発明は引戸門扉，伸縮門扉等の横引開閉用門扉のガイドレール及びこれを用いたガイドレール施工方法に関する。
【背景技術】
【０００２】
この種横引開閉用門扉のガイドレールとして，例えば水平の見切縁と，同じく水平のローラー転動面と，該見切縁とローラー転動面間の凹陥した転倒防止金具受入用のレール溝と，上記ローラー転動面から該レール溝に向けて先端を突出したローラーフランジ係合用にして転倒防止金具の引掛係合部とを備え，これら見切縁，レール溝，ローラーフランジ係合兼用の引掛係合部を鋼板によって一体に屈曲形成した長尺のものが知られている。
【０００３】
【特許文献１】実開平５−３５９９８号公報
【発明の開示】
【発明が解決しようとする課題】
【０００４】
この場合，横引開閉用門扉のローラーをローラー転動面に載置するとともに，一般に該ローラーケースやローラー軸にから下方に垂下するようにＬ字状に設置した転倒防止金具の下端に位置する屈曲片をレール溝に受入れて横引開閉用門扉が水平荷重を受けた際，該屈曲片をレール溝に向けて突出した引掛係合部に引掛係合させることによってその転倒を防止することができる。
【０００５】
しかし乍ら，該ガイドレールは，上記見切縁，レール溝及びローラーフランジ係合兼用の引掛係合部を鋼板によって一体に屈曲形成した長尺ものとされる結果，その断面形状が複雑となるから，これを鋼板によって屈曲形成するには，ロールを長手方向に多数配置して順次成形を施すロール成形を使用せざるを得ず，このため多額の設備投資を必要とし，その製造コストが高価になる傾向を招き易いという問題点が残されている。
【０００６】
本発明はかかる事情に鑑みてなされたもので，その解決課題とするところは，可及的簡易な構造にして確実に横引開閉用門扉のローラーを転動し且つその転倒防止金具の引掛係合をなし得るとともにその製造コストを可及的に低下し得るようにした横引開閉用門扉のガイドレールを提供するにあり，また該ガイドレールを用いたガイドレール施工方法を提供するにある。
【課題を解決するための手段】
【０００７】
上記課題に沿って本発明は，地中に所定間隔に埋設する埋込プレートの上端に切欠凹部と切欠溝を形成し，該切欠凹部に溝レールを架設配置し，該溝レールによって転倒防止金具の受入溝を形成し，上記切欠溝にローラーレールの支持脚を架設配置するとともに該ローラーレールの先端を上記溝レールに向けて突出配置することによって該ローラーレールの先端によって転倒防止金具の引掛係合部を形成するようにし，可及的に少ない各部材の組合せによってガイドレールを構成し，ロール成型を使用せず，また使用しても部材の断面形状を可及的に単純化し得るようにして低コスト化を図ったものであって，即ち請求項１に記載の発明を，上端に切欠凹部と切欠溝を備えた所定間隔地中埋設用の埋込プレートと，該埋込プレートの上記切欠凹部に嵌着固定することによって該埋込プレートに架設配置した転倒防止金具受入用長尺の溝レールと，上記切欠溝に支持脚を嵌挿固定することによって溝レール側に先端を突出して架設配置し該溝レール側に突出した先端を転倒防止金具の引掛係合部としたローラー転動用長尺のローラーレールとを備えてなることを特徴とする横引開閉用門扉のガイドレールとしたものである。
【０００８】
請求項２に記載の発明は，上記に加えて，上記埋込プレートを鋼製としてプレス加工によって形成可能とし，同じくローラーレールを鋼製として，例えばＬ字チャンネル材等の単純断面形状の鋼材を使用可能とするとともにその埋込プレートに対する嵌挿固定に溶接を使用可能とし，また溝レールをアルミ押出形材製とし，該溝レールの断面形状を可及的に自在とし且つアルミ押出形材の特性を活かしてその埋込プレートに対する嵌挿固定に簡易な弾発的圧入のスナップイン係止を使用可能とするように，これを，上記埋込プレートとローラーレールを鋼製とするとともに上記溝レールをアルミ押出形材製とし，上記ローラーレールの嵌挿固定を嵌挿溶着によって行い且つ溝レールの嵌挿固定を埋込プレートの切欠凹部に対する弾発的圧入によるスナップイン係止によって行ってなることを特徴とする請求項１に記載の横引開閉用門扉のガイドレールとしたものである。
【０００９】
請求項３に記載の発明は，同じく上記に加えて，上記埋込プレートに対する弾発的圧入のスナップイン係止を行うについて，アルミ押出形材製の溝レールが塑性変形を来して外観不良等の原因となるのを防止するように，これを，上記溝レールが，その裏面に埋込プレートの切欠凹部に対接する単一乃至複数の補強リブを備えてなることを特長とする請求項２に記載の横引開閉用門扉のガイドレールとしたものである。
【００１０】
請求項４に記載の発明は，同じく上記に加えて，ローラーがそのフランジを備えることによって該フランジが溝レールと逆側に位置するとき，該フランジを受入れる第２の溝レールを，上記溝レールと同様に埋込プレートに架設配置するとともに該第２の溝レールを同様にアルミ押出形材製として簡易な弾発的圧入のスナップイン係止を使用可能とするように，これを，上記埋込プレートがその切欠溝を挟んだ上記切欠凹部と逆側上端に第２の切欠凹部を備え，該第２の切欠凹部に嵌着固定することによってローラーフランジ受入用長尺の第２の溝レールを備えるとともに該第２の溝レールをアルミ押出形材製とし該第２の溝レールの嵌着固定を埋込プレートの第２の切欠凹部に対する弾発的な圧入スナップイン係止によって行ってなることを特徴とする請求項１，２又は３に記載の横引開閉用門扉のガイドレールとしたものである。
【００１１】
請求項５に記載の発明は，上記ガイドレールを用いたガイドレール施工方法を提供するように，これを，請求項１，２，３又は４に記載の横引開閉用門扉のガイドレールを用い，該ガイドレールをコンクリート打設面に埋込状に設置することを特徴とする横引開閉用門扉のガイドレール施工方法としたものである。
【００１２】
本発明は，これらをそれぞれ発明の要旨として上記課題解決の手段としたものである。
【発明の効果】
【００１３】
本発明は以上のとおりに構成したから，請求項１に記載の発明は，地中に所定間隔に埋設する埋込プレートの上端に切欠凹部と切欠溝を形成し，該切欠凹部に溝レールを架設配置し，該溝レールによって転倒防止金具の受入溝を形成し，上記切欠溝にローラーレールの支持脚を架設配置するとともに該ローラーレールの先端を上記溝レールに向けて突出配置することによって該ローラーレールの先端によって転倒防止金具の引掛係合部を形成するようにし，可及的に少ない各部材の組合せによってガイドレールを構成し，ロールフォーミングを使用せず，また使用しても部材の断面形状を可及的に単純化し得るようにして低コスト化を図ることにより，可及的簡易な構造にして確実に横引開閉用門扉のローラーを転動し且つその転倒防止金具の引掛係合をなし得るとともにその製造コストを可及的に低下し得るようにした横引開閉用門扉のガイドレールを提供することができる。
【００１４】
請求項２に記載の発明は，上記に加えて，上記埋込プレートを鋼製としてプレス加工によって形成可能とし，同じくローラーレールを鋼製として，例えばＬ字チャンネル材等の単純断面形状の鋼材を使用可能とするとともにその埋込プレートに対する嵌挿固定に溶接を使用可能とし，また溝レールをアルミ押出形材製とし，該溝レールの断面形状を可及的に自在とし且つアルミ押出形材の特性を活かしてその埋込プレートに対する嵌挿固定に簡易な弾発的圧入のスナップイン係止を使用可能とすることができる。
【００１５】
請求項３に記載の発明は，同じく上記に加えて，上記埋込プレートに対する弾発的圧入のスナップイン係止を行うについて，アルミ押出形材製の溝レールが塑性変形を来して外観不良等の原因となるのを防止することができる。
【００１６】
請求項４に記載の発明は，同じく上記に加えて，ローラーがそのフランジを備えることによって該フランジが溝レールと逆側に位置するとき，該フランジを受入れる第２の溝レールを，上記溝レールと同様に埋込プレートに架設配置するとともに該第２の溝レールを同様にアルミ押出形材製として簡易な弾発的圧入のスナップイン係止を使用可能とすることができる。
【００１７】
請求項５に記載の発明は，上記ガイドレールを用いたガイドレール施工方法を提供することができる。
【発明を実施するための最良の形態】
【００１８】
以下図面の例に従って本発明を更に具体的に説明すれば，Ａは横引開閉用門扉のガイドレールであり，該ガイドレールＡは，埋込プレート１と，溝レール２と，ローラーレール３とを備えたものとしてあり，埋込プレート１は，上端に切欠凹部１１と切欠溝１２を備えた所定間隔地中埋設用のものとし，溝レール２は，該埋込プレート１の上記切欠凹部１１に嵌挿固定することによって該埋込プレート１に架設配置した転倒防止金具６受入用長尺のものとしてあり，またローラーレール３は，上記切欠溝１２に支持脚３２を嵌挿固定することによって溝レール２側に先端を突出して架設配置し該溝レール２側に突出した先端を転倒防止金具６の引掛係合部としたローラー転動用長尺のものとしてある。
【００１９】
このとき本例にあって上記埋込プレート１とローラーレール３は，これらを鋼製とするとともに上記溝レール２をアルミ押出形材製とし，上記ローラーレール３の嵌挿固定を嵌挿溶着によって行い且つ溝レール２の嵌挿固定を埋込プレート１の切欠凹部１１に対する弾発的圧入によるスナップイン係止によって行ったものとしてあり，また本例のガイドレールＡにあって，上記埋込プレート１がその切欠溝１２を挟んだ上記切欠凹部１１と逆側上端に第２の切欠凹部１３を備え，該第２の切欠凹部１３に嵌着固定することによってローラーフランジ５１受入用長尺の第２の溝レール４を備えるとともに該第２の溝レール４をアルミ押出形材製とし該第２の溝レール４の嵌着固定を埋込プレート１の第２の切欠凹部１３に対する弾発的な圧入スナップイン係止によって行ったものとしてある。
【００２０】
本例の埋込プレート１は，例えば数ｍｍ厚の鋼板を用い，これにプレス加工を施すことによって上記切欠凹部１１，切欠溝１２及び第２の切欠凹部１３を上端に配置し，本例にあってはコンクリート１０を受入硬化することによって抜止めを行う側端倒Ｖ字状の抜止切欠１４と面内円形透孔の抜止孔１５とを配置し且つ該埋込プレート１を，例えば幅木７に締着固定する面内のネジ挿通用の透孔１６をそれぞれ単一乃至複数配置したものとしてある。
【００２１】
埋込プレート１の上記切欠凹部１１は，例えば該埋込プレート１の上端を，該上端からその一側片側縁部に至って大きく抉り取るように切欠形成してあり，このとき該切欠凹部１１は，その上端から切欠凹部１１側に向けて突出し該突出部分下位の奥行方向先端を部分的に凹陥した内側引掛部１１１，該引掛部１１１から下向き湾曲した後に同じく下向き傾斜した底部１１３，該底部１１３から上向き傾斜した傾斜部１１４及び該傾斜部１１４から片側縁部側に離間して切欠凹部１１に突出し該突出部分下位を倒Ｖ字状に凹陥した外側引掛部１１２を備えるように，これを形成してある。
【００２２】
切欠溝１２は，上記切欠凹部１１から上記後述のローラーレール３の受部を介した上端中間位置に同じく上端から面内下方に向けてＩ字状の溝をなすように切欠形成してあり，本例にあって該切欠溝１２はその溝幅を上記ローラーレール３の支持脚３２の肉厚に合せてこれを嵌着状に嵌挿受入するものとしてある。
【００２３】
本例において上記切欠凹部１１に加えて配置した第２の切欠凹部１３は，上記切欠溝１２の他側片側縁部側に位置して埋込プレート１の上端を部分的に裁頭した裁頭位置から上記切欠溝１２に連続し上記切欠溝１２を部分的に開放し且つ埋込プレート１の他側縁部に至って小ぶりに抉るように切欠形成してあり，このとき該第２の切欠凹部１３は，該部分的に開放した切欠溝１２側に位置して該第２の切欠凹部１３側に向けて突出し該突出部分下位の奥行方向先端を部分的に凹陥した内側引掛部１３１，該内側引掛部１３１から他側縁部側に向けた底部１３３，該底部１３３の上方にして上記裁頭位置で第２の切欠凹部１３側に突出し該突出部分下位を倒Ｖ字状に凹陥した外側引掛部１３２を備えるように，これを形成してある。
【００２４】
一方，上記アルミ押出形材製とした本例の溝レール２は，上端を地表として該地表から埋込プレートの切欠凹部１１の全体を覆ってＵ字状等のレール溝を形成するように該切欠凹部に沿う断面形状を有するとともに上記切欠凹部１１の内側引掛部１１１及び外側引掛部１１２にそれぞれ引掛係止する内側係止条２２及び内側係止条２３を備えた長尺のものとしてあり，本例にあって該溝レール２は，上記切欠凹部１１の上端から外側引掛部１１２を覆って底部１１３及び傾斜部１１４に沿うとともに該傾斜部の傾斜角度によって地表まで延長し且つ地表上端で下向き傾斜した見切縁を有するレール基部２１と，該レール基部２１の上記内側引掛部１１１位置に対応してその裏面に突出し該内側引掛部１１１に係止するＬ字状の内側係止条２２及び同じく外側引掛部１１２位置に対応してその裏面に連結条を介して突出し該外側引掛部１１２に係止する倒Ｖ字状の外側係止条２３を備えたものとしてあり，このとき本例の溝レール２は，これが，その裏面に埋込プレート１の切欠凹部１１に対接する単一乃至複数の補強リブ２４を備えたものとしてあり，本例にあって該補強リブ２４は，上記レール基部２１における上記切欠凹部１１の底部１１３に先端を対接するように該レール基部２１の裏面に間隔を空けて２条を突出してある。
【００２５】
本例のローラーレール３は，例えば鋼製のＬ字チャンネル材を用いて形成した厚肉にして長尺のものとし，そのＬ字一方の条片をローラー転動部３１とし且つ他方の条片を支持脚３２としたものとしてある。
【００２６】
第２の溝レール４は，上端から切欠溝１２の部分開放部位に至るように第２の切欠凹部１３の全体を覆ってＬ字状のレール溝を形成するように該第２の切欠凹部１３に沿う断面形状を有するとともに同じく内側引掛部１３１及び外側引掛部１３２を備えた長尺のものとしてあり，本例にあって該第２の溝レール４は，地表上端で下向き傾斜した見切縁を有して上記第２の切欠凹部１３の上記裁頭位置における内側引掛部１３１及び底部１３３を経て外側引掛部１３２に至るレール基部４１と，該レール基部４１の上記内側引掛部１３１位置に対応してその裏面に連結条を介して該内側引掛部１３１に係止するＬ字状の内側係止条４２及び同じく外側引掛部１３２位置に対応してその裏面に突出し該外側引掛部１３２に係止するＬ字状の外側係止条４３を備えたものとしてある。
【００２７】
このように形成した埋込プレート１，溝レール２，ローラーレール３，本例にあっては更に第２の溝レール４は，例えば横引開閉用門扉に応じた長さのガイドレールＡを形成するように，その長手方向複数の埋込プレート１に対して所定長さの溝レール２，ローラーレール３及び第２の溝レール４を予め工場又は現場で組立一体化するものとしてある。この一体化によるガイドレールＡの形成は，本例にあって上記溶着と弾発的圧入を用いるようにした結果，溶着設備と圧入設備を有する工場でその組立一体化して現場に搬入設置することが好ましい。
【００２８】
これら部材の組立一体化による本例のガイドレールＡの形成は，例えば埋込プレート１に対するローラーレール３の設置を先行し，その後に溝レール２及び第２の溝レール４の設置を行うようにするのが好ましく，ローラーレール３の設置は，埋込プレート１の切欠溝１２に支持脚３２を挿入し，該埋込プレート１の受部に該ローラーレール３のローラー転動部３１下面を対接するように載置して溶着を施すようにすればよく，本例にあって該ローラー転動部３１及び支持脚３２の溶着は埋込プレート１の切欠溝１２縁部及び上端に，例えば数箇所行うことによって該ローラーレール３を強固に固定するようにすればよい。
【００２９】
溝レール２，本例にあっては更に第２の溝レール４は，例えば埋込プレート１の切欠凹部１１及び第２の切欠凹部１３に溝レール２及び第２の溝レール４のレール基部２１，４１を傾斜配置して，その各Ｌ字状の内側係止条２２，４２をそれぞれ切欠凹部１１及び第２の切欠凹部１３の内側引掛部１１１，１３１に引掛状とした上，各レール基部２１，４１を切欠凹部１１及び第２の切欠凹部１３に押込むようにその上方から下向きに加圧して該各レール基部２１，４１を切欠凹部１１及び第２の切欠凹部１３にそれぞれ弾発的に圧入するようにし，これによって切欠凹部１１及び第２の切欠凹部１３の外側引掛部１１２，１３２に各倒Ｌ字状の外側係止条２３，４３をスナップイン係止するようにすればよい。このとき本例にあって溝レール２の下面に突出して備えた補強リブ２４が，上記内側係止条２２，４２のスナップイン係止とともに切欠凹部１１の底部１１３に対接するに至る。本例の溝レール２が補給リブ２４を備え該補強リブ２４が切欠凹部１１の底部１１３に対接することによって，該溝レール２の圧入に際してそのレール基部２１に変形の歪等が発生するのを防止するようにすることができる。
【００３０】
このように形成したガイドレールＡは，これをコンクリート１０打設面に埋込状に設置することによってその施工を行うものとしてあり，本例にあって該ガイドレールＡは，一般に前後に一対使用してこれをコンクリート１０打設面にその埋込プレート１を埋込み，溝レール２の見切縁，ローラーレール３のローラー転動部３１及び第２の溝レール４の見切縁を地表と面一となるように配置することによってその設置を行うものとしてある。
【００３１】
このとき該ガイドレールＡは，その長手方向両端乃至中間にこれに交差するように幅木７を配置するとともに該幅木７に下向きに起立設置したアンカーボルト８を栗石９上に載置し，該幅木７を介して栗石９上に打設したコンクリート１０打設面に埋込状に設置するものとしてある。
【００３２】
幅木７は，例えばＣ字チャンネル材を用い，その長手方向端部又は必要に応じて該端部と中間部においてその対向片部に透設した透孔にアンカーボルト８を挿通し，該対向片部上下をナットで挟着することによってアンカーボルト８を固定し，またその対向片間の起立底部に透設した透孔と埋込プレート１の上記ネジ挿通用の透孔１６を合せてこれらにネジ７１止めすることによって該幅木に埋込プレート１を固定したものとしてある。
【００３３】
ガイドレールＡは，アンカーボルト８の下端が栗石９に載置するようにガイドレールＡを配置した後にコンクリート１０を打設するか，コンクリート１０打設後の未硬化状態で上記アンカーボルト８の下端が割石９に載置するようにガイドレールＡを配置するようにすればよい。
【００３４】
これによって幅木７と該幅木７に固定した埋込プレート１はコンクリート１０中に埋設され，転倒防止金具６の屈曲片が溝レール２に納まるとともにローラー５のフランジ５１が第２の溝レール４に納まって該ローラー５がローラーレール３のローラー転動部３１上を転動自在となり，該ガイドレールＡによって横引開閉門扉が走行可能となり，このとき横引開閉門扉に水平荷重が負荷されても上記転倒防止金具６の屈曲片がローラーレール３の切欠凹部１１側にローラー転動部３１を突出して形成した引掛係合部の下面に引掛係合することによってその転倒が防止される。
【００３５】
図示した例は以上のとおりとしたが，溝レールを，例えば鋼製の円形パイプを半割りした半円形に形成して該溝レールを埋込プレートの切欠凹部に嵌挿して溶着固定し，またアルミ押出形材による半円形に形成して上端に対向する突起を形成した切欠凹部に溝レールを弾発的圧入によってその端縁をスナップイン係止するように嵌挿固定することを含めて，本発明の実施に当ってガイドレール，埋込プレート，溝レール，ローラーレール，必要に応じて用いるアルミ押出形材製溝レール，その補強リブ，第２の溝レール等の各具体的形状，構造，材質，これらの関係，これらに対する付加等は，上記発明の要旨に反しない限り様々な形態のものとすることができる。
【図面の簡単な説明】
【００３６】
【図１】ガイドレールと横引開閉門扉のローラーの関係を示す縦断面図である。
【図２】埋込プレートの正面図である。
【図３】溝レールの縦断面図である。
【図４】第２の溝レールの縦断面図である。
【図５】ガイドレール設置状態を示すガイドレール正面の縦断面図である。
【図６】ガイドレール設置状態を示すガイドレール側面の縦断面図である。
【符号の説明】
【００３７】
Ａ  ガイドレール
１  埋込プレート
１１  切欠凹部
１１１  内側引掛部
１１２  外側引掛部
１１３  底部
１１４  傾斜部
１２  切欠溝
１３  第２の切欠凹部
１３１  内側引掛部
１３２  外側引掛部
１３３  底部
１４  抜止切欠
１５  抜止孔
１６  透孔
２  溝レール
２１  レール基部
２２  内側係止条
２３  外側係止条
２４  補強リブ
３  ローラーレール
３１  ローラー転動部
３２  支持脚
４  第２の溝レール
４１  レール基部
４２  内側引掛部
４３  外側引掛部
５  ローラー
５１  フランジ
６  転倒防止金具
７  幅木
７１  ネジ
８  アンカーボルト
９  栗石
１０  コンクリート
【図１】
0004672512.tif 000002
【図２】
0004672512.tif 000003
【図３】
0004672512.tif 000004
【図４】
0004672512.tif 000005
【図５】
0004672512.tif 000006
【図６】
0004672512.tif 000007